(57)【要約】      （修正有）【課題】履き心地が良くて歩き易く、しかも、見映えのよいスマート形状の靴とその製造方法を提供する。【解決手段】表材と裏材とからなる甲革の下縁部が、中底の縁部に全周にわたって取付けられて、中底裏面と本底上面とを固着することにより、甲革と本底とが一体となっている靴であって、中底５を柔軟性を有する材料で形成し、この中底５の縁部５ａに、裏材３の下縁部３ａを全周にわたって縫着するとともに、中底５の少なくとも土踏まず部Ｂの両側縁部５ａに、表材２の土踏まず部Ｂの両側下縁部２ａそれぞれ縫着する。【選択図】図４
2005074952.tif 000002
【特許請求の範囲】
【請求項１】
甲革が表材と裏材とからなり、中底と一体にした前記甲革を、中底裏面と本底上面とを接着することにより、本底と一体としている靴であって、
前記裏材と中底とを、柔軟性を有する材料で袋状に一体成形するか、若しくは、柔軟性を有する材料で一体成形した前記裏材と中底とを、両材料の境界に沿って少なくとも一部分を縫い合せることで袋状にするかし、前記中底の土踏まず部の両側縁部に、前記表材の土踏まず部の両側下縁部をそれぞれ縫着することを特徴とする靴。
【請求項２】
甲革が表材と裏材とからなり、中底と一体にした前記甲革を、中底裏面と本底上面とを接着することにより、本底と一体としている靴であって、
前記中底を、柔軟性を有する材料で形成し、この中底の縁部に、前記裏材の下縁部を全周にわたって縫着するとともに、前記中底の土踏まず部の両側縁部に、前記表材の土踏まず部の両側下縁部をそれぞれ縫着することを特徴とする靴。
【請求項３】
前記甲革のつま先部の先端部と踵部の後端部とに芯材を設け、前記中底のつま先部および踵部の縁部に、前記表材のつま先部および踵部の下縁部をそれぞれ接着することを特徴とする請求項１または２記載の靴。
【請求項４】
中底と一体にした甲革を、中底裏面と本底上面とを接着することにより、本底と一体としている靴であって、
前記中底と甲革とを、柔軟性を有する材料で袋状に一体成形することを特徴とする靴。
【請求項５】
前記本底の上面を、踵部から土踏まず部にかけて、つま先部側に向かって下り傾斜となるように形成し、且つ内側に向かって下り勾配の傾斜を設けることを特徴とする請求項１〜４のいずれかに記載の靴。
【請求項６】
表材と裏材とからなる甲革の下縁部を、中底の縁部に全周にわたって取付けた後に、この中底の裏面と本底の上面とを接着することにより、前記甲革と本底とを一体にする靴の製造方法であって、
前記中底を、柔軟性を有する材料で形成し、この中底の縁部に、前記裏材の下縁部を全周にわたって縫着した後、前記中底の土踏まず部の両側縁部に、前記表材の土踏まず部の両側下縁部を縫着し、その後、前記中底のつま先部および踵部の縁部に、前記表材のつま先部および踵部の下縁部をそれぞれ接着することを特徴とする靴の製造方法。
【発明の詳細な説明】
【技術分野】
【０００１】
本発明は、紳士向けや婦人向けのフォーマル用、または、カジュアル用や運動用等の靴とその製造方法に関するものである。
【背景技術】
【０００２】
一般的に使用されている靴には、次のようなものがある。
甲の部分となる甲革の下縁部を、板状に形成されている中底の裏面周縁部に取付け、中底を本底の上面に接着することにより、甲革と本底とを一体にしている靴がある。
【０００３】
この種の靴は、次のような手順で製造されている。
１）表材と裏材とを所定の形状に裁断する。２）裁断した表材と裏材とを重ね合わせて縫製し甲革を作る。３）甲革のつま先部部分となるところに、型崩れを防止するための保形芯（先芯とも言い、革やプラスチック、ファイバーなどが用いられている）を入れる。４）甲革の踵部分となるところにも保形芯（月型芯ともいう）を入れる。５）各保形芯に熱を加えて変形し易くし、甲革のつま先部分とかかと部分と所定の形状に形づくる。６）一方、中底を木製、若しくは硬質樹脂製の型の底面に固定する。７）つま先部分と踵部部との形ができた甲革を型に被せ、甲革の下縁部の内側と中底の裏面縁部とに接着剤を塗布する。８）吊り込みを行い、甲革の下縁部を中底の裏面周縁部に固着し、甲革と中底とを一体にする。９）中底の裏面全体に糊を塗布した後、乾燥させて接着剤に含まれている揮発性の溶剤（接着不良の原因となることがある）を除去する。１０）中底の裏面を本底上面に、押し付けるようにして圧着する。１１）型を抜き取る。このような靴やその製造方法に関連する技術文献として、例えば特許文献１を挙げることができる。
【０００４】
このような靴は、本底上面の形状を平坦に形成したり、また、中底を屈曲性の小さいボード材で形成したり、それをさらにシャンク部材等で補強し曲がりにくくすることで製造し易くしている。特に、自動化した製造ラインで大量生産をする場合には、生産効率の面で有利であるため、前述のような本底および中底を用いる場合が多い。
【０００５】
その理由は、中底をボード材を用いて扁平な形状とし、且つ本底上面を平坦な形状にしておけば、中底と本底とが接着させ易くなり、これらの接着を短時間で、且つ確実に行なえるようになるからである。また、甲革の吊り込みを行う場合、甲革の下縁部は、吊り込み装置のワイパーと呼ばれる作動部によって、外側から中底の中央部側へ向けて押されることにより中底の裏面に巻き込まれ、中底縁部に接着剤で固着される。このワイパーは横方向に直線運動をするだけなので、中底の形状に起伏が設けられていると、中底を型の表面に沿うように取付けることができず、甲革の下縁部をワイパーによって、中底にうまく巻き込むことができない。したがって、中底は扁平な形状のものが良いのである。それから、中底を柔らかい材料で形成していると、ワイパーによる吊り込みを確実に行うことができず、甲革との接着が不十分となるからである。したがって、中底は、ある程度硬さを持たせておくのが良いのである。
【特許文献１】特開平８−１１２１０６号公報（第２〜３頁および図３）
【発明の開示】
【発明が解決しようとする課題】
【０００６】
しかしながら、上述したような従来の靴には次のような問題点がある。
【０００７】
１．中底が、屈曲性の小さいボード材で形成されているので、硬くて曲がりにくく、且つ表面が平坦であるため、靴を履いたときの足裏の感触が悪く、しかも、靴の屈曲性が不足して歩きづらくなることがある。
【０００８】
２．上記の靴は、甲革の下縁部が、中底の周縁部に接着剤で固着されているので、固化した接着剤による屈曲性の低下が生じ、履き心地の良さが損なわれることがある。
【０００９】
３．上記の靴は、履き心地を良くするために、表面が足裏の形状に倣って形成されているカップインソールを装着しなければならない場合がある。カップインソールは、表面に起伏を設けているので全体の厚さが厚くなっていて重量も重い。したがって、靴の総重量が重くなり、歩きにくくなることがある。また、カップインソール等を装着する場合、靴の中のスペースが狭くなって、履いた足が窮屈にならないようにするため、靴の中にカップインソール用のスペースを確保しておかなければならない。したがって、甲革の高さが高い靴となって見た目が悪くなり、特に、スマートな形状の靴が好まれる婦人用の靴として不向きとなる場合がある。
【００１０】
本発明は、これらの問題点に鑑みてなされたもので、履き心地が良い上に、歩き易く、しかも、見映えの良いスマートな形状の靴とその製造方法を提供することを目的としている。
【課題を解決するための手段】
【００１１】
上記の課題を解決するための請求項１記載の靴は、甲革が表材と裏材とからなり、中底と一体にした前記甲革を、中底裏面と本底上面とを接着することにより、本底と一体としている靴であって、前記裏材と中底とを、柔軟性を有する材料で袋状に一体成形するか、若しくは、柔軟性を有する材料で一体成形した前記裏材と中底とを、両材料の境界に沿って少なくとも一部分を縫い合せることで袋状にするかし、前記中底の土踏まず部の両側縁部に、前記表材の土踏まず部の両側下縁部をそれぞれ縫着することを特徴としている。
【００１２】
請求項２記載の靴は、甲革が表材と裏材とからなり、中底と一体にした前記甲革を、中底裏面と本底上面とを接着することにより、本底と一体としている靴であって、前記中底を、柔軟性を有する材料で形成し、この中底の縁部に、前記裏材の下縁部を全周にわたって縫着するとともに、前記中底の土踏まず部の両側縁部に、前記表材の土踏まず部の両側下縁部をそれぞれ縫着することを特徴としている。
【００１３】
請求項１および２にかかる靴によれば、前記中底と裏材とを、柔軟性のある材料で袋状に一体成形したり、柔軟性のある材料で一体成形した前記中底と裏材とを、一部を縫い合わせることで袋状にしたり、また、前記中底を柔軟性を有する材料で形成し、この中底縁部に、前記裏材の下縁部を全周にわたって縫着して、前記本底と裏材とを袋状にしたりすることで、靴の履き心地が良くなる。つまり、前記中底と裏材とが袋状になっているので、前記中底と裏材とで、足が包み込まれた状態となり、履き心地が向上するのである。
【００１４】
また、前記中底の土踏まず部の両側縁部に、前記表材の土踏まず部の両側下縁部を縫着するようにすれば、前記中底の土踏まず部では、前記裏材と表材とが縫着された状態となるため、靴の土踏まず部の屈曲性が良くなって歩き易くなる。前記表材の下縁部を、前記中底の土踏まず部だけでなく、縁部全周に縫着するようにしても同様の作用を得ることができる。
【００１５】
なお、つま先部・踵部・土踏まず部とはそれぞれ、靴を長さ方向に３つに分けた場合の先端部分、後端部分、先端部分と後端部分との間にある中間部分を意味している。
【００１６】
請求項３記載の靴は、前記甲革のつま先部の先端部と踵部の後端部とに芯材を設け、前記中底のつま先部および踵部の縁部に、前記表材のつま先部および踵部をそれぞれセ着することを特徴としている。このような請求項３にかかる靴によれば、靴の土踏まず部の屈曲性が損なわれることがなく、前記甲革のつま先部と踵部とは、型崩れしにくい丈夫さを備えたものとなるので、歩き易い上に、しっかりとした履き心地の靴とすることができる。
【００１７】
請求項４記載の靴は、中底と一体にした甲革を、中底裏面と本底上面とを接着することにより、本底と一体としている靴であって、前記中底と甲革とを、柔軟性を有する材料で袋状に一体成形することを特徴としている。このような請求項４にかかる靴によれば、前記中底と甲革とを、柔軟性を有する材料で、袋状に一体成形することで、足を包み込んで履き心地を良くすることができる。
【００１８】
請求項５記載の靴は、前記本底の上面を、踵部から土踏まず部にかけて、つま先部側に向かって下り傾斜となるように形成し、且つ内側に向かって下り勾配の傾斜を設けることを特徴としている。
【００１９】
このような請求項５にかかる靴によれば、足裏がフィットし易くなり、履き心地を向上させることができる。つまり、前記中底は柔軟性を有した材料で形成されているため、前記本底の上面にぴったりと重ね合わせた状態で接着することができ、前記中底の上面を、前記本底の上面と同様の形状とすることができる。したがって、前記本底の上面を、足裏がフィットし易い形状にしておくことで、履き心地を向上させることができるのである。また、足がフィットする形状が、前記本底上面に設けられているので、カップインソールが不要となり、靴の軽量化を図ることができる。
【００２０】
請求項６記載の靴の製造方法は、表材と裏材とからなる甲革の下縁部を、中底の縁部に全周にわたって取付けた後に、前記中底の裏面と本底の上面とを接着することで前記甲革と本底とを一体にする靴の製造方法であって、前記中底を柔軟性を有する材料で形成し、この中底の縁部に、前記裏材の下縁部を全周にわたって縫着し、その後、前記中底の土踏まず部の両側縁部に、前記表材の土踏まず部の両側下縁部を縫着し、その後、前記中底のつま先部および踵部の縁部に、前記表材のつま先部および踵部の下縁部をそれぞれ接着することを特徴としている。
【００２１】
このような請求項６にかかる靴の製造方法によれば、履き心地が向上する優れた屈曲性を備えているにもかかわらず、型崩れのしにくい丈夫な靴を製造することが可能となる。
【発明の効果】
【００２２】
上述のような手段をもって為される本発明の靴は、次のような効果がある。
【００２３】
１．重量が軽く屈曲性にも優れた履き心地の良い靴とすることができるので、足に負担をかけることなく、高齢者でも楽に歩くことができるようになる。しかも、履き心地を犠牲にすることなく、例えば２０〜３０歳代の女性に好まれるようなスマートな形状のものにも対応できる。
【００２４】
２．履き心地の良い優れた屈曲性を有しているにもかかわらず、型崩れしにくく丈夫であるため、履き心地の良い靴を長期間使用することができるようになる。
【００２５】
また、本発明の靴の製造方法の効果は、次のような効果を有している。
【００２６】
３．軽量・良好な履き心地・デザインの自由度等を兼ね備えた靴を提供することができるようになる。
【発明を実施するための最良の形態】
【００２７】
以下、本発明にかかる靴の実施形態について、図面１〜４を参照しつつ説明する。
【００２８】
図１は、本発明にかかる靴の実施例の斜視図であり、構造をわかり易くするために甲革および中敷の一部を切り欠いている。また図１中に、甲革および芯材を設けた部分の部分拡大図を含めている。図２は、本発明にかかる靴の実施例の中底に、甲革を取付け一体にしたものの底面図である。図３（ａ）は、本発明にかかる靴の実施例の本底の長さ方向と横方向との縦断面図であり、図３（ｂ）は、図３（ａ）におけるＤ−Ｄ矢視断面図である。図４は、本発明にかかる靴の製造方法の手順を示している説明図である。
【００２９】
図１および２に示すように、本実施例の靴１は、表材２と裏材３とからなる甲革４と（部分拡大図参照）、この甲革４が取付けられている中底５と、靴１の底の部分となる本底６とを有している。なお、靴１を長さ方向に３つに分けた場合の先端側をつま先部Ａ、後端部を踵部Ｃとし、中間部を土踏まず分Ｂとする。
【００３０】
甲革４は、天然の皮革で形成された表材２と裏材３とを重ねて縫製したもので、つま先部の先端部および踵部の後端部にそれぞれ、熱可塑性樹脂でできたプレート状の芯材７ａ・７ｂ（つま先部の芯材を先芯７ａ、踵部の芯材を月型芯７ｂともいう）が、表材２と裏材３との間に挟み込んだ状態で設けられていて、型崩れが防止されている（部分拡大図参照）。なお、表材２や裏材３には天然の皮革の他に、合成成皮革やファブリック等を用いることができ、表材を合成皮革にして裏材をファブリックにするなど、表材と裏材とで材質を変更することもできる。
【００３１】
一方、中底５は、柔軟性を有している合成皮革のシート材で形成されており、この中底５の縁部５ａに、裏材３の下縁部３ａが、全周にわたって縫着されている。また、中底５の土踏まず部Ｂの両側縁部５ａに、表材２の土踏まず部Ｂの両側下縁部２ａが縫着され、中底５のつま先部Ａおよび踵部Ｃの縁部５ａにはそれぞれ、表材２のつま先部Ａおよび踵部Ｃの下縁部２ａが接着されている。
【００３２】
中底５は、柔軟性を有したシート材で形成されているので、本底６の上面６ａにぴったりと重なった状態で接着されている。また、中底５が、柔軟性を有するシート材で形成されていることで、裏材３と中底５とが一つの袋状となり、使用者の足を包み込むことができる。なお、中底５の材質は、合成皮革のシート材に限ることはなく、例えばファブリックなどの本底６の上面６ａにぴったり重なるような柔軟性を備えたものであれば用いることができ、好ましくは軽さを兼ね備えたものが良い。
【００３３】
そして、中底５の上面５ｂに、縫い目を覆うようにして中敷８が装着されている。この中敷８は、天然の皮革８ａとクッション材８ｂとを積層したもので、中底５の上面５ｂにぴったりと重なるように、厚みを薄くし柔軟性を持たせている。
【００３４】
本底６は、硬質ゴムで形成されており、図３（ａ）に示すように、踵部Ｃから土踏まず部Ｂにかけて、上面６ａが、つま先部Ａに向かって緩やかな勾配の下り傾斜となるように形成され、且つ図３（ｂ）に示すように、内側へ向かって下り傾斜となるように形成されているので、足裏がフィットし易く歩き易い形状となっている。したがって、本底６の上面６ａに接着されている中底５の上面５ｂの形状も、足裏がフィットし易く歩き易い形状になっている。なお、本底６は、硬質ゴムの他に、革やＥＶＡ（エチレン酢酸ビニル樹脂）等の樹脂、または発泡性樹脂などを用いることもできる。
【００３５】
次に、靴１の製造方法について、図４を参照しつつ説明する。なお、つま先部Ａ・土踏まず部Ｂ・踵部Ｃについては、図１と同様の部位を示すこととする。
【００３６】
天然の皮革シートを裁断し表材２と裏材３とを形成し、これらを重ね合わせて縫製して甲革４を作る。この甲革４のつま先部Ａの先端部と踵部Ｃの後端部とにそれぞれ、図示しない先芯７ａまたは月型芯７ｂを設ける（I）。
一方、合成皮革のシート材を靴の形に裁断して中底５を形成するとともに、ゴム生地を金型で加硫して本底６を形成する。この本底６は、踵部Ｃから土踏まず部Ｂにかけて、上面６ａを、つま先部Ａに向かって下り傾斜となるように形成し、且つ内側に向かって下り勾配の傾斜を形成しておく。このような形状にすることで、足のフィット感が良くなり、履き心地も良くなる。また、土踏まず部Ｂの足の内側に当たる部分に、傾斜の緩やかな凸部を形成したり、つま先部Ａの上面に、足裏の拇指球に相当する部分に窪みを形成したりすることにより、足裏のフィット感を高めることもできる。
【００３７】
次に、裏材３の下縁部３ａを、特殊ミシンを用いて中底５の縁部５ａに、全周にわたって縫着するとともに、表材２の土踏まず部Ｂの両側下縁部２ａをそれぞれ、中底５の土踏まず部Ｂの両側縁部５ａに縫着する（II）。その後、月型芯７ｂに熱を加えて甲革４の踵
部Ｃを形作るモールディングを行なう。そして、裏材３と中底５とで袋状に一体となった部分に木型を入れて吊り込み装置にセットし、表材２のつま先部Ａおよび踵部Ｃの下縁部２ａを、中底５のつま先部Ａまたは踵部Ｃの裏面縁部５ａに接着する（III）。それから、
中底５の裏面と本底６の上面６ａとに接着剤を塗布した後にしばらく乾燥させて、接着剤中の溶剤の除去を行なう。溶剤を除去した後、中底５の裏面を、本底６の上面６ａに押し付けるようにして中底５と本底６とを圧着する（IV）。こうして甲革４と本底６とを一体
にした後に、靴から木型を抜き取るとともに、本底６の上に中敷８を取付けて靴１が完成する（V）。
【図面の簡単な説明】
【００３８】
【図１】本発明にかかる靴の実施例の斜視図である（一部切り欠き部と部分拡大図とを含む）。
【図２】実施例の靴の中底に、甲革を取付け一体にしたものの底面図である。
【図３】実施例の靴の本底の長さ方向と横方向との縦断面図である。
【図４】実施例の靴の製造方法の手順を示している説明図である。
【００３９】
１  靴
２  表材
２ａ  下縁部（表材）
３  裏材
３ａ  下縁部（裏材）
４  甲革
５  中底
５ａ  縁部
６  本底
６ａ  上面（本底）
Ａ  つま先部
Ｂ  土踏まず部
Ｃ  踵部
【図１】
2005074952.tif 000003
【図２】
2005074952.tif 000004
【図３】
2005074952.tif 000005
【図４】
2005074952.tif 000006